(57)【要約】【課題】  所望の画像を素早く容易に選択可能な画像表示装置を提供する。【解決手段】  記録媒体に格納された複数の画像にアクセスするアクセス手段と、末尾の前記画像に先頭の前記画像が続くように複数の前記画像をサイクリックに順序付ける画像順位管理手段と、順位が連続する前記画像同士が隣り合うように複数の前記画像がｘ方向に配列され、隣り合う前記画像同士の順位差が第一の順位になるように前記画像がｙ方向に配列された無限の二次元領域の一部に相当する表示対象領域を、第一指示に応じて前記二次元領域内で前記ｘ方向に移動させ、第二指示に応じて前記二次元領域内で前記ｙ方向に移動させる表示手段と、前記第一指示及び前記第二指示を受け付ける受付手段と、を備える。【選択図】    図１
2006251275.tif 000002
【特許請求の範囲】
【請求項１】
記録媒体に格納された複数の画像にアクセスするアクセス手段と、
末尾の前記画像に先頭の前記画像が続くように複数の前記画像をサイクリックに順序付ける画像順位管理手段と、
順位が連続する前記画像同士が隣り合うように複数の前記画像がｘ方向に配列され、隣り合う前記画像同士の順位差が第一の順位になるように前記画像がｙ方向に配列された無限の二次元領域の一部に相当する表示対象領域を、第一指示に応じて前記二次元領域内で前記ｘ方向に移動させ、第二指示に応じて前記二次元領域内で前記ｙ方向に移動させる表示手段と、
前記第一指示及び前記第二指示を受け付ける受付手段と、
を備えることを特徴とする画像表示装置。
【請求項２】
前記表示手段は、一度の前記第一指示又は一度の前記第二指示に応じて、隣り合う前記画像の全体を含む位置まで前記表示対象領域を移動させることを特徴とする請求項１に記載の画像表示装置。
【請求項３】
前記表示手段は、前記表示対象領域を前記二次元領域内で連続的に移動させることを特徴とする請求項２に記載の画像表示装置。
【請求項４】
記録媒体に格納された複数の画像にアクセスするアクセス手段と、
複数の前記画像を順序付ける画像順位管理手段と、
順位が連続する前記画像同士が隣り合うように複数の前記画像がｘ方向に配列され、隣り合う前記画像同士の順位差が第一の順位になるように前記画像がｙ方向に配列され、隣り合う前記画像同士の順位差が第二の順位になるように前記画像がｚ方向に配列された三次元空間の一部に相当する表示対象領域を、第一指示に応じて前記三次元空間内で前記ｘ方向に移動させ、第二指示に応じて前記三次元空間内で前記ｙ方向に移動させ、第三指示に応じて前記三次元空間内で前記ｚ方向に移動させる表示手段と、
前記第一指示、前記第二指示及び前記第三指示を受け付ける受付手段と、
を備えることを特徴とする画像表示装置。
【請求項５】
前記画像順位管理手段は、末尾の前記画像に先頭の前記画像が続くように複数の前記画像をサイクリックに順序付けることを特徴とする請求項４に記載の画像表示装置。
【請求項６】
前記表示手段は、一度の前記第一指示、一度の前記第二指示又は一度の前記第三指示に応じて、隣り合う前記画像の全体を含む位置まで前記表示対象領域を移動させることを特徴とする請求項４又は５に記載の画像表示装置。
【請求項７】
前記表示手段は、前記表示対象領域を前記三次元空間内で連続的に移動させることを特徴とする請求項６に記載の画像表示装置。
【請求項８】
前記アクセス手段は、複数のフォルダに格納された前記画像にアクセスし、
末尾の前記フォルダに先頭の前記フォルダが続くように複数の前記フォルダをサイクリックに順序付けるフォルダ順位管理手段をさらに備え、
前記表示手段は、フォルダ選択指示に応じて順位が連続する前記フォルダに格納されている前記画像を表示し、
前記受付手段は、前記フォルダ選択指示を受け付けることを特徴とする請求項１から７のいずれか一項に記載の画像表示装置。
【発明の詳細な説明】
【技術分野】
【０００１】
本発明は画像表示装置に関する。
【背景技術】
【０００２】
従来、撮影した画像を表示する表示器を備えるディジタルスチルカメラ（ＤＳＣ）、リムーバブルメモリ等の外部記憶装置から読み込んだ画像を表示する表示器を備える画像再生装置などの画像表示装置が知られている。このような画像表示装置では、撮影した画像や外部記憶装置から読み込んだ画像を表示器に表示することができる。しかしながら、上述したような画像表示装置では、所定操作により一つ後又は一つ前の画像を表示器に順次表示するため、表示可能な画像数が増えると表示対象の画像を選択するための操作が煩雑になるという問題がある。例えば上述したような画像表示装置において１０画像後の画像を表示対象の画像として選択するためには、ユーザはボタンを１０回押下したり１０画像先の画像が表示されるまでボタンを押し続ける必要がある。
【発明の開示】
【発明が解決しようとする課題】
【０００３】
本発明は、上記の問題に鑑みてなされたものであって、所望の画像を素早く容易に選択可能な画像表示装置を提供することを目的とする。
【課題を解決するための手段】
【０００４】
（１）上記目的を達成するための画像表示装置は、記録媒体に格納された複数の画像にアクセスするアクセス手段と、末尾の前記画像に先頭の前記画像が続くように複数の前記画像をサイクリックに順序付ける画像順位管理手段と、順位が連続する前記画像同士が隣り合うように複数の前記画像がｘ方向に配列され、隣り合う前記画像同士の順位差が第一の順位になるように前記画像がｙ方向に配列された無限の二次元領域の一部に相当する表示対象領域を、第一指示に応じて前記二次元領域内で前記ｘ方向に移動させ、第二指示に応じて前記二次元領域内で前記ｙ方向に移動させる表示手段と、前記第一指示及び前記第二指示を受け付ける受付手段と、を備える。
本発明の画像表示装置によると、画像順位管理手段は複数の画像をサイクリックに順序付ける。そして表示手段は、上述のように画像が配列された無限の二次元領域の一部に相当する表示対象領域を、第一指示と第二指示とに応じて無限の二次元領域内でそれぞれｘ方向とｙ方向とに移動させる。したがってユーザは、第一指示により表示対象領域をｘ方向に移動させるかのように順位が連続する画像を選択でき、第二指示により表示対象領域をｙ方向に移動させるかのように順位差が第一の順位の画像を選択できる。ユーザは無限の二次元領域に配列された画像をイメージしながら第一指示と第二指示とでそれぞれ異なる順位差の画像を選択できるため、所望の画像を素早く容易に選択できる。
また、無限の二次元領域には画像がサイクリックに配列されているため、ユーザは、例えば先頭側の画像を画面表示している状態で末尾側の画像を選択する場合、表示対象領域の移動距離を短縮するようなイメージで先頭の画像が配置されている方向に末尾側の画像が画面表示されるまで表示対象領域を移動させれば、順位差が大きい画像を素早く容易に選択することができる。
【０００５】
（２）前記表示手段は、一度の前記第一指示又は一度の前記第二指示に応じて、隣り合う前記画像の全体を含む位置まで前記表示対象領域を移動させてもよい。
（３）前記表示手段は、前記表示対象領域を前記二次元領域内で連続的に移動させてもよい。
本発明の画像表示装置によると、表示対象領域が二次元領域内で連続的に移動する。そのため、第一指示又は第二指示で選択した画像が表示されるまでの期間に、ユーザが二次元領域を移動しているかのような画面を表示することができる。
【０００６】
（４）上記目的を達成するための画像表示装置は、記録媒体に格納された複数の画像にアクセスするアクセス手段と、複数の前記画像を順序付ける画像順位管理手段と、順位が連続する前記画像同士が隣り合うように複数の前記画像がｘ方向に配列され、隣り合う前記画像同士の順位差が第一の順位になるように前記画像がｙ方向に配列され、隣り合う前記画像同士の順位差が第二の順位になるように前記画像がｚ方向に配列された三次元空間の一部に相当する表示対象領域を、第一指示に応じて前記三次元空間内で前記ｘ方向に移動させ、第二指示に応じて前記三次元空間内で前記ｙ方向に移動させ、第三指示に応じて前記三次元空間内で前記ｚ方向に移動させる表示手段と、前記第一指示、前記第二指示及び前記第三指示を受け付ける受付手段と、を備える。
本発明の画像表示装置によると、表示手段は、上述のように画像が配列された三次元空間の一部に相当する表示対象領域を、第一指示と第二指示と第三指示に応じて三次元空間内でそれぞれｘ方向とｙ方向とｚ方向に移動させる。したがってユーザは、第一指示により表示対象領域をｘ方向に移動させるかのように順位が連続する画像を選択でき、第二指示により表示対象領域をｙ方向に移動させるかのように順位差が第一の順位の画像を選択でき、第三指示により表示対象領域をｚ方向に移動させるかのように順位差が第二の順位の画像を選択できる。ユーザは、三次元空間に配置された画像をイメージしながら第一指示と第二指示と第三指示とでそれぞれ異なる順位差の画像を選択できるため、所望の画像を素早く容易に選択できる。
【０００７】
（５）前記画像順位管理手段は、末尾の前記画像に先頭の前記画像が続くように複数の前記画像をサイクリックに順序付けてもよい。
本発明の画像表示装置によると、画像順位管理手段は複数の画像をサイクリックに順序付ける。つまり表示手段は、画像がｘ方向とｙ方向とｚ方向の全方向に無限に配列された三次元空間または画像がｘ方向とｙ方向とｚ方向のいずれかの方向に無限に配列された三次元空間の一部に相当する表示対象領域を、第一指示、第二指示または第三指示に応じて無限の三次元空間内で移動させる。したがってユーザは、表示対象領域の移動距離を短縮するようなイメージで表示対象領域を移動させることのより、順位差が大きい画像を素早く容易に選択することができる。
【０００８】
（６）前記表示手段は、一度の前記第一指示、一度の前記第二指示又は一度の前記第三指示に応じて、隣り合う前記画像の全体を含む位置まで前記表示対象領域を移動させてもよい。
（７）前記表示手段は、前記表示対象領域を前記三次元空間内で連続的に移動させてもよい。
請求項７に記載の発明によると、表示対象領域が三次元空間内で連続的に移動する。そのため、第一指示、第二指示または第三指示で選択した画像が表示されるまでの期間に、ユーザが三次元空間を移動しているかのような画面を表示することができる。
【０００９】
（８）前記アクセス手段は、複数のフォルダに格納された前記画像にアクセスし、末尾の前記フォルダに先頭の前記フォルダが続くように複数の前記フォルダをサイクリックに順序付けるフォルダ順位管理手段をさらに備え、前記表示手段は、フォルダ選択指示に応じて順位が連続する前記フォルダに格納されている前記画像を表示し、前記受付手段は、前記フォルダ選択指示を受け付けてもよい。
本発明による画像表示装置によると、フォルダ順位管理手段は複数のフォルダをサイクリックに順序付ける。そして表示手段は、フォルダ選択指示に応じて順位が連続するフォルダに格納されている画像を表示する。したがって、画像が複数のフォルダに格納されていても、ユーザは複数のフォルダ間を素早く移動して所望の画像を選択できる。
【００１０】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【発明を実施するための最良の形態】
【００１１】
以下、本発明の実施の形態を複数の実施例に基づいて説明する。各実施例において同一の符号が付された構成要素は、その符号が付された他の実施例の構成要素と対応する。
（第一実施例）
図２は、本発明の第一実施例に係る画像再生装置１のハードウェア構成を示すブロック図である。画像再生装置１は、ＣＰＵ１１と、フラッシュメモリ１２と、ＲＡＭ１３と、ハードディスク装置（ＨＤＤ）１４と、表示部１５と、操作部１６と、リムーバブルメモリコントローラ１８を備え、それらはバス２０で相互に接続されている。画像表示装置としての画像再生装置１は、リムーバブルメモリ１９に記憶されたＤＳＣ等で撮影された画像を読み出し、ＨＤＤ１４に蓄積し、ＨＤＤ１４に蓄積された画像を表示部１５に表示する電子機器である。尚、画像表示装置は、ＤＳＣ、携帯電話など表示器を備える通信機器、ＰＤＡ（Personal Digital Assistance）、電子書籍端末などの携帯型の端末装置でもよい。
【００１２】
制御部１０は、ＣＰＵ１１、フラッシュメモリ１２、ＲＡＭ１３等を備える。ＣＰＵ１１はフラッシュメモリ１２に記憶されているプログラムをＲＡＭ１３にロードして実行し、画像再生装置１の全体を制御する。フラッシュメモリ１２は、プログラムやデータを予め記憶しておく不揮発性のメモリである。フラッシュメモリ１２には、ＣＰＵ１１が再生モードにおいて実行する画像再生プログラムが記憶されている。画像再生装置１の再生モードでは、ユーザはＨＤＤ１４に記憶されている画像から表示対象の画像を選択してＬＣＤ２１に表示することができる。ＲＡＭ１３は各種のプログラム、データなどを一時的に記憶する揮発性のメモリである。ＲＡＭ１３はビデオメモリとしても機能し、ＲＡＭ１３の所定領域には画面表示用データが記憶される。
ＨＤＤ１４はハードディスクやハードディスクコントローラ等を備え、オペレーティングシステム（ＯＳ）、各種プログラム、画像を格納する画像ファイル、各種のデータなどを記憶する。
【００１３】
表示手段としての表示部１５は、ＬＣＤ（Liquid Crystal Display）２１（図３参照）、ＬＣＤ２１を制御するディスプレイコントローラ等を備える。表示部１５はＣＰＵ１１によって制御され、ＨＤＤ１４、リムーバブルメモリ１９等に記憶されている画像を表示したりメニュー等を表示する。
操作部１６は、表示部１５に表示される各種メニューの選択や表示対象の画像の選択を行うための各種のボタンを備える。
【００１４】
リムーバブルメモリコントローラ１８は、ＣＰＵ１１により制御され、カードスロットに装着されるリムーバブルメモリ１９に記憶されている画像の読み出しや、リムーバブルメモリ１９への各種データの書き込みを行う。リムーバブルメモリ１９は、図示しないカードスロットに着脱自在の外部記憶媒体であって、具体的には例えばカード型フラッシュメモリである。
【００１５】
図３は、画像再生装置１の外形を示す模式図である。画像再生装置１は、ＬＣＤ２１と、操作部１６と、ＵＳＢ等のインタフェースコネクタ２７と、図示しないカードスロット等、を備える。インタフェースコネクタ２７には、ＰＣ、ＣＤドライブ、プリンタ等と通信するためのケーブルが接続される。操作部１６は、印刷ボタン２２、メニューボタン２３、レバー２４、ＯＫボタン２５、ＣＡＮＣＥＬボタン２６等により構成される。受付手段としてのレバー２４は、図４（Ｂ）に示すように左右、上下、右上、右下、左下、左上に操作したり、図４（Ｃ）に示すように押し込んだり、引き出すことができる。尚、受付手段としての操作部１６は、十字キー、トラックボール等のポインティングデバイスでもよい。
【００１６】
図５は上述した画像再生プログラムの論理的な構成を示すブロック図である。
画像順位管理モジュール３４は、制御部１０を画像順位管理手段として機能させるプログラム部品である。画像順位管理モジュール３４は、ユーザインタフェースモジュール（ＵＩモジュール）３０の要求に応じて、ＨＤＤ１４に記憶されている複数の画像（図６参照）を末尾の画像に先頭の画像が続くようにサイクリックに順序付けながら、次に表示する画像を特定する。具体的には画像順位管理モジュール３４は、画像ファイルのファイル名や画像ファイルの生成年月日などに基づいて、画像ファイルの順位を規定するテーブル７０（図７参照）を所定のタイミングで生成または更新する。そして画像順位管理モジュール３４は、テーブル７０に基づいて画像ファイルを上述のようにサイクリックに順序付けながら、次に表示する画像を特定する。ここで所定のタイミングとは、例えばＨＤＤ１４にリムーバブルメモリ１９等から画像を読み込んだ後、ＨＤＤ１４から画像を削除した後、画像再生装置１の起動後などのタイミングである。
【００１７】
アクセスモジュール３２は、制御部１０をアクセス手段として機能させるプログラム部品である。アクセスモジュール３２は、ＵＩモジュール３０の要求に応じて、ＨＤＤ１４に記憶された画像にアクセスする。
【００１８】
ＵＩモジュール３０は、制御部１０を受付手段および表示手段として機能させるプログラム部品である。ＵＩモジュール３０は、所望の画像を選択するための指示を受け付ける。具体的には例えば、ＵＩモジュール３０は、レバー２４の左右操作、上下操作、右上操作、右下操作、左下操作、左上操作を、それぞれ表示されている画像の１順位前後、１０順位前後、９順位前、１１順位後、９順位後、１１順位前の画像を選択する指示を受け付ける（図８参照）。そしてＵＩモジュール３０は、受け付けた指示に対応する画像を画像順位管理モジュール３４に問い合せ、画像順位管理モジュール３４が特定した画像をアクセスモジュール３２に読み込ませて、ＬＣＤ２１にその画像を表示する。表示されている画像の１順位前後の画像を選択する指示が請求項に記載の「第一指示」に相当する。また表示されている画像の１０順位前後の画像を選択する指示が請求項に記載の「第二指示」に相当し、この指示により選択される１０順位前後の画像とそのときに表示されている画像との順位差が請求項に記載の「第一の順位」に相当する。
【００１９】
このようにＵＩモジュール３０が、画像をサイクリックに関連づけながら次の画像を画面表示することにより、図１に示すように順位が連続する画像が隣り合うように画像同士がｘ方向（矢印４２参照）にサイクリックに配列され、順位差が１０順位の画像同士が隣り合うように画像がｙ方向（矢印４４参照）にサイクリックに配列された無限の二次元領域５０上をＬＣＤ２１の表示対象領域（領域４６参照）がレバー２４の操作方向に移動しているかのようなユーザインタフェースを実現することができる。このユーザインタフェースによれば、ユーザは、無限の二次元領域５０に配列された画像をイメージしながら、レバー２４の操作で画像を選択表示することができる。
【００２０】
尚、互いに直交するｘ方向とｙ方向とを図示したが、ｘ方向とｙ方向とは直交していなくてもよい。
また、ＵＩモジュール３０が受け付ける指示は、上述したように表示対象領域が無限の二次元領域５０上を移動するようなユーザインタフェースが実現可能であればよく、上述の具体例に限定されるものではない。具体的にはレバー２４の左右操作、上下操作をそれぞれ「−Ｌ」順位後、「Ｒ」順位後、「−Ｕ」順位後、「Ｄ」順位後の画像を表示する指示であるとすると、ＵＩモジュール３０は、レバー２４の左右操作、上下操作を「Ｌ＝Ｒ」及び「Ｕ＝Ｄ」の関係が成立する指示として受け付け、右上操作を「Ｒ−Ｕ」順位後、右下操作を「Ｒ＋Ｄ」順位後、左下操作を「−Ｌ＋Ｄ」順位後、左上操作を「−Ｌ−Ｕ」順位後の画像を表示する指示として受け付ければよい。ここで、例えば「−Ｌ」順位後とは「Ｌ」順位前のことを意味する。但し、操作性の観点から、「Ｌ」又は「Ｕ」のいずれか一方は「１」であることが望ましい。
【００２１】
図９は、再生モードにおける画像の表示方法のフローチャートである。以下の説明では、ＨＤＤ１４にはＮ個の画像が記憶されているものとし、それらの画像は１からＮまでの順位が付けられているものとする。
先ず、制御部１０は、ＬＣＤ２１に表示する画像の順位を示すポインタ（ｐ）を１にセットする（ステップＳ１００参照）。
次に、制御部１０はレバー２４の操作を受け付ける（ステップＳ１０２参照）。そして制御部１０は、受け付けた操作が右操作、下操作、右下操作または左下操作の場合、ステップＳ１０４からＳ１１０の処理を実行し、受け付けた操作が左操作、上操作、右上操作または左上操作の場合、ステップＳ１１２からＳ１１８の処理を実行する。
【００２２】
ステップＳ１０４からＳ１１０の処理において、制御部１０はレバー２４の操作に応じて、末尾の画像に先頭の画像が続くようにサイクリックに順序付けながら、所定順位後の画像を次に表示する画像として特定する。具体的には、先ず制御部１０は、受け付けたレバー２４の操作に応じたジャンプ数（ｊ）を設定する（ステップＳ１０４参照）。より具体的には制御部１０は、例えば右操作、下操作、右下操作、左下操作に応じて、ジャンプ数をそれぞれ「ｊ＝１」、「ｊ＝１０」、「ｊ＝１１」、「ｊ＝９」を設定する（図８参照）。次に制御部１０は、ポインタ示す順位の画像があるか否かを判断する（ステップＳ１０６参照）。そして制御部１０は、その画像があると判断した場合「ｐ＝ｐ＋ｊ」とし、その画像がないと判断した場合「ｐ＝ｐ＋ｊ−Ｎ」とする。
【００２３】
ステップＳ１１２からＳ１１８の処理において、制御部１０はレバー２４の操作に応じて、末尾の画像に先頭の画像が続くようにサイクリックに順序付けながら、所定順位前の画像を次に表示する画像として特定する。具体的には、先ず制御部１０は、受け付けたレバー２４の操作に応じたジャンプ数（ｊ）を設定する（ステップＳ１１２参照）。例えば制御部１０は、左操作、上操作、左上操作、右上操作に応じて、ジャンプ数をそれぞれ「ｊ＝１」、「ｊ＝１０」、「ｊ＝１１」、「ｊ＝９」を設定する（図８参照）。次に制御部１０は、ポインタ示す順位の画像があるか否かを判断する（ステップＳ１１４参照）。そして制御部１０は、その画像があると判断した場合「ｐ＝ｐ−ｊ」とし、その画像がないと判断した場合「ｐ＝ｐ−ｊ＋Ｎ」とする。
【００２４】
ステップＳ１２０において、制御部１０はポインタが示す順位の画像をＬＣＤ２１に表示し、ステップＳ１０２の処理に戻る。
【００２５】
尚、ＵＩモジュール３０は、図１０に示すようにレバー２４の操作により選択表示可能な画像を少なくとも含む無限の二次元領域５０の一部領域を示す画像５２をＬＣＤ２１に表示してもよい。このようにすれば、ユーザは無限の二次元領域５０におけるＬＣＤ２１に表示対象領域の位置を把握でき、次にＬＣＤ２１に表示する画像を容易に選択できる。
また、ＵＩモジュール３０は、レバー２４の上下操作などを複数ステップ数前後の画像を表示する指示として受け付けると説明したが、レバー２４を所定方向に所定期間（通常の操作より短い期間、または通常の操作より長い期間）倒す操作を複数ステップ数前後の画像を表示する指示として受け付けてもよい。
また、ＵＩモジュール３０は、レバー２４を所定方向に所定期間（通常の操作より短い期間、または通常の操作より長い期間）倒す操作を、先頭の画像または末尾の画像が付された画像を表示する指示として受け付けてもよい。
【００２６】
（第二実施例）
第二実施例による画像再生装置２では、ＵＩモジュール３０は、第一実施例に係る指示に加えて、さらにレバー２４の押し込み操作と引き上げ操作とをそれぞれ１００順位後、１００順位前の画像を選択する指示として受け付ける。これらの指示が請求項に記載の「第三指示」に相当し、この指示により選択される１００順位前後の画像とそのときに表示されている画像との順位差１００が請求項に記載の「第二の順位」に相当する。
【００２７】
これにより画像再生装置２では、図１１に示すように、無限の二次元領域５０がそれと垂直な上下方向に隣り合う無限の二次元領域５０の一方の無限の二次元領域５０に配置されている画像とその画像直上または直下の画像であって他方の無限領域５０に配置されている画像との順位差が１００になるように無限に配置された三次元空間において、無限の二次元領域５０間を表示対象領域がレバー２４の押し込み操作と引き上げ操作とにより移動するかのようなユーザインタフェースを実現することができる（図１１に示す矢印４６、４８参照）。したがって画像再生装置２によると、ＨＤＤ１４に記憶されている画像数が増大しても、ユーザは所望の画像を容易に選択表示することができる。
【００２８】
尚、ＵＩモジュール３０は、画像の順位をサイクリックに関連づけることなく、レバー２４の押し込み操作と引き上げ操作により指示されるステップ数後の画像を画面表示してもよい。そのときは、複数の無限の二次元領域５０が有限に配置された三次元空間を表示対象領域が移動するかのようなユーザインタフェースを実現することができる。
また、ＵＩモジュール３０は、画像の順位をサイクリックに関連づけることなく、レバー２４の左右操作、上下操作、右上操作、右下操作、左下操作、左上操作の全部またはいずれかの操作により指示されるステップ数後の画像を画面表示してもよい。そのときは、有限の二次元領域または所定方向に有限な無限の二次元領域が無限に配置された三次元空間を表示対象領域が移動するかのようなユーザインタフェースを実現することができる。
【００２９】
また、ＵＩモジュール３０は、画像の順位をサイクリックに関連づけることなく、レバー２４の全操作により指示されるステップ数後の画像を画面表示してもよい。そのときは、二次元の複数の有限領域が有限に配置された三次元空間を表示対象領域が移動するかのようなユーザインタフェースを実現することができる。
また、ＵＩモジュール３０がレバー２４の押し込み操作と引き上げ操作とにより受け付ける指示は、１００順位後、１００順位前の画像を表示する指示に限定されず、順位差がいくつの画像を表示する指示でもよい。また、１００順位後、１００前の画像をＬＣＤ２１に表示する指示として受け付ける操作は、それぞれレバー２４の押し込み操作と引き上げ操作に限定されず、それぞれ異なるボタンを押下する操作などでもよい。
【００３０】
（第三実施例）
図１２は、第三実施例による画像再生装置３の再生モードを説明するための模式図である。
（Ａ１）に示すように、画像再生装置３のＲＡＭ１３の所定領域には、上述の複数の実施例に係る無限の二次元領域５０の一部領域の画像の画面表示用データが記憶されている。ここで一部領域とは、ＬＣＤ２１に表示している画像とその状態におけるレバー２４の操作により選択表示可能な画像とを少なくとも含む領域のことである。第三実施例に係るＵＩモジュール３０は、この画面表示用データに対して所望の表示対象領域（（Ａ１）に示す表示対象領域６０ａ参照）を指定して、その表示対象領域の画面をＬＣＤ２１に表示する（（Ｂ１）参照）。
【００３１】
ＵＩモジュール３０は、ＬＣＤ２１に表示している画像（例えば、（Ｂ１）に示す海．ｊｐｇの画像）から次の画像（例えば、（Ｂ４）に示す山．ｊｐｇの画像）を表示するまでの期間に、ＬＣＤ２１に表示している画像の表示対象領域（（Ａ１）に示す表示対象領域６０ａ参照）から次の画像の表示対象領域（（Ａ４）に示す表示対象領域６０ｄ参照）まで表示対象領域を連続的に移動させる（（Ａ２）、（Ａ３）に示す表示対象領域６０ｂ、６０ｃ参照）。これにより、無限の二次元領域５０上を表示対象領域がレバー２４の操作方向に移動しているかのように、その移動経過を表す画面表示をすることができる（（Ｂ１）から（Ｂ４）参照）。
尚、レバー２４の右下操作に対応する画面遷移のみを図１２に例示したが、レバー２４の全操作方向に上述の処理を適用してもよいし、所定の操作方向のみに適用してもよい。
【００３２】
（第四実施例）
図１３は、第四実施例による画像再生装置４の再生モードを説明するための画面遷移図である。
第四実施例による画像再生装置４のＲＡＭ１３の所定領域には、第三実施例に係るＲＡＭ１３の所定領域と同様の画像表示用データが記憶されている。但し、第四実施例による画像再生装置４ではＬＣＤ２１に複数画像を表示可能なため、その状態において表示可能な画像を少なくとも含む画像表示用データをＲＡＭ１３に記憶することが望ましい。具体的には、図１３に例示したようにレバー２４の引き上げ操作により１画像、４画像、９画像とＬＣＤ２１に表示される画像の数が変化し、レバー２４の押し込み操作により９画像、４画像、１画像とＬＣＤ２１に表示される画像の数が変化する画像再生装置４では、９画像が含む画像表示用データをＲＡＭ１３に記憶することが望ましい。
【００３３】
第四実施例に係るＵＩモジュール３０は、第一実施例に係る指示に加えて、レバー２４の押し込み操作を表示対象領域を縮小する指示として受け付け、レバー２４の引き上げ操作を表示対象領域を拡大する操作として受け付ける。ＵＩモジュール３０は、受け付けた指示に応じて表示対象領域を拡大または縮小し、拡大または縮小後の表示対象領域の画像がＬＣＤ２１に表示可能なサイズになるようにその画像を表示部１５のグラフィックコントローラに縮小または拡大させる。そしてＵＩモジュール３０は、ＬＣＤ２１に拡大または縮小後の画像をグラフィックコントローラに表示させる。これによりユーザは、ＬＣＤ２１に複数画像を表示させてＨＤＤ１４に記憶されている画像を確認できるため、表示対象の画像を容易に選択することができる。
【００３４】
尚、ＵＩモジュール３０は、予めＲＡＭ１３に記憶した画像表示用データに対する表示対象領域を受け付けた指示に応じて拡大または縮小することにより、複数画像をＬＣＤ２１に表示するとして説明した。しかしＵＩモジュール３０は、指示を受け付ける度にその指示に応じた画像表示用データを生成することにより、複数画像をＬＣＤ２１に表示してもよい。
また、ＵＩモジュール３０は、レバー２４の押し込み操作またはレバー２４の引き上げ操作と異なる操作を、表示対象領域の縮小または拡大指示として受け付けてもよい。
【００３５】
（第五実施例）
第五実施例による画像再生装置５のＨＤＤ１４には、複数のフォルダが同一階層に形成されており（例えば、図１４に示す登山フォルダ、夏休みフォルダ、家族フォルダ）、それらのフォルダには画像が格納されている。そして複数のフォルダは図１５に示すテーブル７２により順序付けられている。
【００３６】
図１６は、第五実施例による画像再生装置５の再生プログラムの論理的な構成を示すブロック図である。
ＵＩモジュール３０は、第一実施例に係る指示に加えてさらに、レバー２４の押し込み操作とレバー２４の引き上げ操作とを、同一階層に形成されている複数のフォルダ間を移動する指示として受け付ける。具体的にはＵＩモジュール３０は、レバー２４の押し込み操作を、ＬＣＤ２１に表示している画像が格納されているフォルダの１つ後のフォルダを表示対象のフォルダとして、そのフォルダ内の画像をＬＣＤ２１に表示する指示として受け付ける。一方、レバー２４の引き上げ操作を、制御部１０はＬＣＤ２１に表示している画像が格納されているフォルダの１つ前のフォルダを表示対象のフォルダとし、そのフォルダ内の画像をＬＣＤ２１に表示する指示として受け付ける。この指示が請求項に記載の「フォルダ選択指示」に相当する。
【００３７】
フォルダ順位管理モジュール３６は、画像順位管理モジュール３４と同様にフォルダをサイクリックに関連づけながら、表示対象のフォルダを特定する。フォルダ順位管理モジュール３６は、図１７に示すように例えばもみじ．ｊｐｇの画像１５１がＬＣＤ２１に表示されている状態でＵＩモジュール３０がレバー２４の押し込み操作を受け付けた場合、もみじ．ｊｐｇの画像が格納されている登山フォルダの１つ後の夏休みフォルダを表示対象のフォルダとして特定する。一方、例えば海．ｊｐｇの画像１５２がＬＣＤ２１に表示されている状態でＵＩモジュール３０がレバー２４の引き上げ操作を受け付けると、フォルダ順位管理モジュール３６は海．ｊｐｇの画像が格納されている夏休みフォルダの１つ前の登山フォルダを表示対象のフォルダとして特定する。つまりユーザは、簡素な操作で同一階層にある複数のフォルダ間移動することができる
【００３８】
ここでフォルダ順位管理モジュール３６は、順位が３の家族フォルダに格納されている笑顔．ｊｐｇの画像１５３がＬＣＤ２１に表示されている状態でＵＩモジュール３０がレバー２４の押し込み操作を受け付けたとしても、サイクリックに関連づけながら上述の処理を実行しているため、順位が１の登山フォルダを表示対象フォルダとして特定することができる。つまりユーザは、同一階層にある複数のフォルダ間を少ない操作回数で移動することができる。
尚、ＵＩモジュール３０は、レバー２４の押し込み操作またはレバー２４の引き上げ操作と異なる操作、例えばレバー２４を所定期間（通常操作より短い期間、または通常操作より長い期間）左または右に倒す操作を、先頭のフォルダまたは末尾のフォルダに移動する指示として受け付けてもよい。
【図面の簡単な説明】
【００３９】
【図１】第一実施例による画像再生装置を説明するための模式図。
【図２】本発明による画像再生装置のブロック図。
【図３】本発明による画像再生装置の外形を示す模式図。
【図４】本発明に係るレバー操作を説明するための模式図。
【図５】画像再生プログラムの論理的な構成を示すブロック図。
【図６】第一実施例に係るＨＤＤのファイル構成を示す模式図。
【図７】画像を順序付けるテーブルを示す模式図。
【図８】レバー操作により受け付けられる指示を説明するための模式図。
【図９】再生モードにおける画像表示方法のフローチャート。
【図１０】第一実施例による画像再生装置の変形例を説明するための模式図。
【図１１】第二実施例による画像再生装置を説明するための模式図。
【図１２】第三実施例による画像再生装置を説明するための模式図。
【図１３】第四実施例による画像再生装置を説明するための画面遷移図。
【図１４】第五実施例に係るＨＤＤのファイル構成を示す模式図。
【図１５】フォルダを順序づけるテーブルを示す模式図。
【図１６】第五実施例による再生プログラムの論理的な構成を示すブロック図。
【図１７】第五実施例による画像再生装置を説明するための画面遷移図。
【符号の説明】
【００４０】
１、２、３、４、５  画像再生装置（画像表示装置）、１０  制御部（アクセス手段、画像順位管理手段、受付手段、表示手段、フォルダ順位管理手段）、１５  表示部（表示手段）、１６  操作部（受付手段）２４  レバー（受付手段）、３０  ＵＩモジュール（受付手段、表示手段）、３２  アクセスモジュール（アクセス手段）、３４  画像順位管理モジュール（画像順位管理手段）、３６  ファイル順位管理モジュール（フォルダ順位管理手段）
【図１】
2006251275.tif 000003
【図２】
2006251275.tif 000004
【図３】
2006251275.tif 000005
【図４】
2006251275.tif 000006
【図５】
2006251275.tif 000007
【図６】
2006251275.tif 000008
【図７】
2006251275.tif 000009
【図８】
2006251275.tif 000010
【図９】
2006251275.tif 000011
【図１０】
2006251275.tif 000012
【図１１】
2006251275.tif 000013
【図１２】
2006251275.tif 000014
【図１３】
2006251275.tif 000015
【図１４】
2006251275.tif 000016
【図１５】
2006251275.tif 000017
【図１６】
2006251275.tif 000018
【図１７】
2006251275.tif 000019